(57)【要約】【課題】二次電池に貯蔵した電力を不用意に使用されることなく、地震時には外部の機器の充電を行なうことが可能な太陽電池付き照明装置を提供する。【解決手段】太陽電池付き照明装置１００は、制御部１７０と、太陽電池１１０と、太陽電池１１０によって発電された電力を蓄えるための充電池１８０と、充電池１８０に蓄えられた電力を使用して点灯する白色ＬＥＤ１２０と、充電池１８０に蓄えられた電力を外部に供給するための接続部１４０と、開口部１３０を有し、接続部１４０を収容するためのポール１０１と、開口部１３０を開放または閉塞するための蓋１３１と蓋開閉モータ１５０と、ポール１０１の振動を検知して制御部１７０に制御信号を送信するための感振センサ１６０とを備え、制御部１７０は、感振センサ１６０から制御信号を受信した場合に、開口部１３０を開放するように蓋開閉モータ１５０を制御する。【選択図】図１
2008192529.tif 000002
【特許請求の範囲】
【請求項１】
制御部と、
太陽電池と、
前記太陽電池によって発電された電力を蓄えるための二次電池と、
前記二次電池に蓄えられた電力を使用して点灯する照明部と、
前記二次電池に蓄えられた電力を外部に供給するための接続部と、
開口部を有し、前記接続部を収容するための筐体と、
前記開口部を開放または閉塞するための開口部開閉手段と、
前記筐体の振動を検知して前記制御部に制御信号を送信するための振動検知部とを備え、
前記制御部は、前記振動検知部から制御信号を受信した場合に、前記開口部を開放または開放可能な状態にするように前記開口部開閉手段を制御する、太陽電池付き照明装置。
【請求項２】
前記開口部開閉手段は、前記開口部を覆うための蓋部と、前記蓋部を駆動するための蓋駆動手段とを含み、
前記制御部は、前記振動検知部から制御信号を受信した場合に、前記蓋部を駆動して前記開口部を開放するように、前記蓋駆動手段を制御する、請求項１に記載の太陽電池付き照明装置。
【請求項３】
前記制御部は、前記開口部を開放するように前記蓋駆動手段を制御してから所定の時間が経過した場合に、前記蓋部が前記開口部を閉塞するように、前記蓋駆動手段を制御する、請求項２に記載の太陽電池付き照明装置。
【請求項４】
前記開口部開閉手段は、前記開口部を覆うための蓋部と、前記蓋部が前記開口部を覆って閉塞した状態で前記蓋部を前記筐体に固定するための蓋固定手段とを含み、
前記制御部は、前記振動検知部から制御信号を受信した場合に、前記蓋固定手段による前記蓋部の固定を解除して前記開口部を開放可能な状態にするように、前記蓋固定手段を制御する、請求項１から請求項３までのいずれか１項に記載の太陽電池付き照明装置。
【請求項５】
前記蓋固定手段による前記蓋部の固定を解除して前記開口部を開放可能な状態にするように前記蓋固定手段を駆動してから所定の時間が経過した場合に、前記蓋部が前記開口部を閉塞した状態で前記蓋部を前記筐体に固定するように、前記蓋固定手段を制御する、請求項４に記載の太陽電池付き照明装置。
【請求項６】
前記接続部は、携帯電話に電力を供給するための携帯電話用接続部である、請求項１から請求項５までのいずれか１項に記載の太陽電池付き照明装置。
【発明の詳細な説明】
【技術分野】
【０００１】
この発明は、太陽電池を使用する照明装置に関するものである。
【背景技術】
【０００２】
従来、太陽電池付き照明装置は、太陽光発電装置と照明灯と充電池とを備え、太陽光発電装置から充電池に電力を供給して充電池を充電し、夜間には充電池に蓄えられた電力で照明灯を点灯させる。太陽電池付き照明装置には、周囲の明るさ検知装置や地震の検知装置を備えるものもある。
【０００３】
例えば、登録実用新案第３０４４３３０号公報（特許文献１）に記載の道路歩行者用照明用柱は、明るさセンサーと人センサーとを備え、周囲に人を感知したとき、かつ、周囲の明るさが一定以下であることを感知した場合には、照明を通常よりも明るくする。
【０００４】
また、特開２００４−２５９５２１号公報（特許文献２）に記載の太陽電池付き照明装置は、明るさ判定手段と人感検知手段とを備え、周囲に人を感知したとき、かつ、周囲の明るさが一定以下であることを感知した場合には、照明を通常よりも明るくし、また、周囲に人を感知しなくても、周囲の明るさが一定以下であれば、照明を点灯する。
【０００５】
特開平１０−１２０１７号公報（特許文献３）に記載の照明装置は、地震センサを備え、地震センサが地震を検知した場合には、バッテリーの過放電防止基準電圧を下げる。このようにすることにより、無照日が続いてバッテリーの端子間電圧が基準過放電防止設定電圧以下であっても、夜間にランプを点灯し、避難場所の目印になることができる。
【特許文献１】登録実用新案第３０４４３３０号公報
【特許文献２】特開２００４−２５９５２１号公報
【特許文献３】特開平１０−１２０１７号公報
【発明の開示】
【発明が解決しようとする課題】
【０００６】
しかしながら、地震などの災害時には、照明を確保するだけでなく、通信手段を確保するために、携帯電話等の機器を充電したいという要望がある。太陽電池付き照明装置が備える二次電池を用いれば、災害時に他の電源装置が使用できない場合にも携帯電話等の外部機器を充電することができるが、照明装置の二次電池を用いて外部機器を常時充電できるようにすると、二次電池の充電量が少なくなり、照明が必要とされる時に点灯できなくなることがある。
【０００７】
そこで、この発明の目的は、二次電池に貯蔵した電力を不用意に使用されることなく、地震時には外部の機器の充電を行なうことが可能な太陽電池付き照明装置を提供することである。
【課題を解決するための手段】
【０００８】
この発明に従った太陽電池付き照明装置は、制御部と、太陽電池と、太陽電池によって発電された電力を蓄えるための二次電池と、二次電池に蓄えられた電力を使用して点灯する照明部と、二次電池に蓄えられた電力を外部に供給するための接続部と、開口部を有し、接続部を収容するための筐体と、開口部を開放または閉塞するための開口部開閉手段と、筐体の振動を検知して制御部に制御信号を送信するための振動検知部とを備え、制御部は、振動検知部から制御信号を受信した場合に、開口部を開放または開放可能な状態にするように開口部開閉手段を制御する。
【０００９】
地震によって筐体が振動し、振動検知部がこの振動を検知すると、接続部が収容されている筐体の開口部が開放され、または、開放可能な状態にされ、接続部を介して、二次電池に蓄えられている電力を外部に供給することができる。一方、制御部は、振動検知部が振動を検知して送信する制御信号を受信しなければ、開口部を開放または開放可能な状態にするように開口部開閉手段を制御することがない。
【００１０】
このようにすることにより、二次電池に貯蔵した電力を不用意に使用されることなく、地震時には外部の機器の充電を行なうことが可能な太陽電池付き照明装置を提供することができる。
【００１１】
この発明に従った太陽電池付き照明装置においては、開口部開閉手段は、開口部を覆うための蓋部と、蓋部を駆動するための蓋駆動手段とを含み、制御部は、振動検知部から制御信号を受信した場合に、蓋部を駆動して開口部を開放するように、蓋駆動手段を制御することが好ましい。
【００１２】
このようにすることにより、地震があった場合には、接続部が収容されている筐体の開口部が自動的に開放され、接続部を介して、二次電池に蓄えられている電力を外部に供給することができる。
【００１３】
この発明に従った太陽電池付き照明装置においては、制御部は、開口部を開放するように蓋駆動手段を制御してから所定の時間が経過した場合に、蓋部が開口部を閉塞するように、蓋駆動手段を制御することが好ましい。
【００１４】
このようにすることにより、地震の発生から所定の時間が経過すると、自動的に開口部が閉塞され、接続部が外部から遮蔽されるため、二次電池に蓄えた電力の不用意な使用を効果的に防ぐことができる。
【００１５】
この発明に従った太陽電池付き照明装置においては、開口部開閉手段は、開口部を覆うための蓋部と、蓋部が開口部を覆って閉塞した状態で蓋部を筐体に固定するための蓋固定手段とを含み、制御部は、振動検知部から制御信号を受信した場合に、蓋固定手段による蓋部の固定を解除して開口部を開放可能な状態にするように、蓋固定手段を制御することが好ましい。
【００１６】
このようにすることにより、地震があった場合には、接続部が収容されている筐体の開口部の蓋固定が自動的に解除され、接続部を介して、二次電池に蓄えられている電力を外部に供給することができる。
【００１７】
この発明に従った太陽電池付き照明装置においては、制御部は、蓋固定手段による蓋部の固定を解除して開口部を開放可能な状態にするように蓋固定手段を駆動してから所定の時間が経過した場合に、蓋部が開口部を閉塞した状態で蓋部を筐体に固定するように、蓋固定手段を制御することが好ましい。
【００１８】
このようにすることにより、地震の発生から所定の時間が経過すると、自動的に開口部の蓋が固定され、接続部が外部から遮蔽されるため、二次電池に蓄えた電力の不用意な使用を効果的に防ぐことができる。
【００１９】
この発明に従った太陽電池付き照明装置においては、接続部は、携帯電話に電力を供給するための携帯電話用接続部であることが好ましい。
【００２０】
このようにすることにより、緊急時の通信手段を確保することが可能になる。
【発明の効果】
【００２１】
以上のように、この発明によれば、二次電池に貯蔵した電力を不用意に使用されることなく、地震時には外部の機器の充電を行なうことが可能な太陽電池付き照明装置を提供することができる。
【発明を実施するための最良の形態】
【００２２】
以下、この発明の実施の形態を図面に基づいて説明する。
【００２３】
（第１実施形態）
図１は、この発明の第１実施形態として、太陽電池付き照明装置の全体を模式的に示す図である。
【００２４】
図１に示すように、太陽電池付き照明装置１００は、筐体としてほぼ円筒状のポール１０１と、ポール１０１の最上部に取り付けられた太陽電池１１０と、照明部としてポール１０１の上部においてポール１０１の外周面上に配置された白色発光ダイオード（白色ＬＥＤ）１２０と、白色ＬＥＤ１２０の下方に配置された振動検知部として感振センサ１６０とを備える。ポール１０１の外周面には、ポール１０１の内部と外部を連通する開口部１３０が形成され、開口部１３０を覆うための蓋部として蓋１３１が、開口部１３０においてポール１０１の内壁側に配置されている。ポール１０１の内部には、二次電池として充電池１８０と、制御部１７０と、接続部１４０と、開口部開閉手段としての蓋駆動手段として、蓋１３１を駆動させるための蓋開閉モータ１５０と、明るさ判定部１９０と、計時部と、配線１０２が配置されている。
【００２５】
接続部１４０は、ポール１０１の内部において、開口部１３０の位置に配置されている。開口部１３０を覆っている蓋１３１が開口部１３０から外されて開口部１３０が開放されると、ポール１０１の外部から、携帯電話などの機器を接続部１４０に接続することができる。接続部１４０は、携帯電話に電力を供給することができる携帯電話用接続部であり、携帯電話などの小電力機器を接続部１４０に接続することによって充電することができる。
【００２６】
図２は、この発明の第１実施形態にかかる照明装置の構成を示すブロック図である。
【００２７】
図２に示すように、太陽電池１１０は、明るさの判定部１９０と充電池１８０に電力を供給する。明るさ判定部１９０は、太陽電池１１０の電圧を測定することによって、照明装置１００の周囲の明るさを判定する。充電池１８０は、太陽電池１１０で発電された電力を貯蔵する。充電池１８０に貯蔵された電力は、制御部１７０で出力を制御されて接続部１４０、白色ＬＥＤ１２０、感振センサ１６０、蓋開閉モータ１５０、計時部１７１に供給される。
【００２８】
明るさ判定部１９０は、明るさ判定部１９０が判定した照明装置１００の周囲の明るさに基づいて、制御部１７０に制御信号を送信する。明るさ判定部１９０から制御信号を受信した制御部１７０は、照明装置１００の周囲が所定の明るさよりも明るければ、白色ＬＥＤ１２０を消灯するように白色ＬＥＤ１２０を制御する。また、照明装置１００の周囲が所定の明るさよりも暗ければ、白色ＬＥＤ１２０を点灯するように白色ＬＥＤを制御する。
【００２９】
感振センサ１６０は、ポール１０１の振動を検知して、制御部１７０に制御信号を送信する。感振センサ１６０から制御信号を受信した制御部１７０は、感振センサ１６０が検知した振動が所定の大きさよりも大きい振動であれば、開口部１３０を覆っている蓋１３１を駆動させて開口部１３０を開放するように、蓋開閉モータ１５０を制御する。制御部１７０は、同時に、計時部１７１に制御信号を送信する。制御部１７０から制御信号を受信した計時部１７１は、蓋開閉モータ１５０が蓋１３１を駆動させて開口部１３０を開放させてからの経過時間を計時する。蓋開閉モータ１５０が蓋１３１を駆動させて開口部１３０を開放させてから所定の時間が経過すると、計時部１７１が制御部１７０に制御信号を送信する。計時部１７１からの制御信号を受信した制御部１７０は、蓋１３１を駆動して開口部１３０を閉塞するように蓋開閉モータ１５０を制御する。
【００３０】
図３は、この発明の第１実施形態として、感振センサが振動を検知していないときの開口部の状態（Ａ）と、感振センサが振動を検知したときの開口部の状態（Ｂ）とを模式的に示す断面図である。図３の（Ａ）と（Ｂ）においては図の右側がポールの内側であり、図の左側がポールの外側である。
【００３１】
図３の（Ａ）に示すように、ポール１０１の壁には、ポール１０１の内部と外部を連通する開口部１３０が形成されている。開口部１３０においてポール１０１の内壁側には、蓋１３１が配置され、開口部１３０全体をポール１０１の内側から覆い、ポール１０１の内部に配置されている接続部１４０をポール１０１の外部から遮蔽している。接続部１４０は、配線１０２を介して充電池１８０に接続されている（図２）。ポール１０１の内部には、開口部１３０の上に蓋開閉モータ１５０が配置されている。蓋１３１は、蓋開閉モータ１５０によって、上下に動かされる。
【００３２】
感振センサ１６０が振動を検知すると、蓋開閉モータ１５０は、制御部１７０から制御信号を受信して図中の矢印Ａの向きに回転し、蓋１３１が上方に移動して、図４の（Ｂ）に示すように、開口部１３０が開放される。
【００３３】
開口部１３０が開放されると、外部の機器を接続部１４０に接続して充電することができる。
【００３４】
感振センサ１６０が振動を検知してから所定の時間が経過すると、計時部１７１が制御部１７１に制御信号を送信し、制御部１７０が蓋開閉モータ１５０を図中の矢印Ｂの方向に回転させて、蓋１３１が下方に移動して、図４（Ａ）に示すように、蓋１３１が開口部１３０を覆う。
【００３５】
このように、照明装置１００は、制御部１７０と、太陽電池１１０と、太陽電池１１０によって発電された電力を蓄えるための充電池１８０と、充電池１８０に蓄えられた電力を使用して点灯する白色ＬＥＤ１２０と、充電池１８０に蓄えられた電力を外部に供給するための接続部１４０と、開口部１３０を有し、接続部１４０を収容するためのポール１０１と、開口部１３０を開放または閉塞するための蓋１３１と蓋開閉モータ１５０と、ポール１０１の振動を検知して制御部1７０に制御信号を送信するための感振センサ１６０とを備え、制御部1７０は、感振センサ１６０から制御信号を受信した場合に、開口部１３０を開放するように蓋開閉モータ１５０を制御する。
【００３６】
地震によって白色ＬＥＤ１２０が振動し、感振センサ１６０がこの振動を検知すると、接続部１４０が収容されているポール１０１の開口部１３０が開放され、接続部１４０を介して充電池１８０に蓄えられている電力を外部に供給することができる。一方、制御部1７０は、感振センサ１６０が振動を検知して送信する制御信号を受信しなければ、開口部１３０を開放するように蓋開閉モータ１５０を制御することがない。
【００３７】
このようにすることにより、充電池１８０に貯蔵した電力を不用意に使用されることなく、地震時には外部の機器の充電を行なうことが可能な照明装置１００を提供することができる。
【００３８】
この発明に従った照明装置１００においては、蓋開閉モータ１５０は、開口部１３０を覆うための蓋１３１と、蓋１３１を駆動するための蓋開閉モータ１５０とを含み、制御部1７０は、感振センサ１６０から制御信号を受信した場合に、蓋１３１を駆動して開口部１３０を開放するように、蓋開閉モータ１５０を制御することが好ましい。
【００３９】
このようにすることにより、地震があった場合には、接続部１４０が収容されているポール１０１の開口部１３０が自動的に開放され、接続部１４０を介して充電池１８０に蓄えられている電力を外部に供給することができる。
【００４０】
この発明に従った照明装置１００においては、制御部１７０は、開口部１３０を開放するように蓋開閉モータ１５０を制御してから所定の時間が経過した場合に、蓋１３１が開口部１３０を閉塞するように、蓋開閉モータ１５０を制御する。
【００４１】
このようにすることにより、地震の発生から所定の時間が経過すると、自動的に開口部１３０が閉塞され、接続部１４０が外部から遮蔽されるため、充電池１８０に蓄えた電力の不用意な使用を効果的に防ぐことができる。
【００４２】
この発明に従った照明装置１００においては、接続部１４０は、携帯電話に電力を供給するための接続部１４０である。
【００４３】
このようにすることにより、緊急時の通信手段を確保することが可能になる。
【００４４】
なお、この実施の形態においては、蓋１３１の駆動は蓋開閉モータ１５０で行なっているが、モータの他に、リニアアクチュエータやソレノイドなどを使用して蓋１３１の駆動を行うことも可能である。
【００４５】
また、この実施の形態においては、太陽電池１１０はポール１０１の最上部に配置されているが、ポール１０１の外周面に配置してもよい。
【００４６】
また、この実施の形態においては、充電池１８０から接続部１４０への出力は制御部１７０によって制御される構成としているが、充電池１８０から接続部１４０に直接出力する構成としてもよい。このようにすることにより、地震によって太陽電池付き照明装置１００の制御部１７０が損傷を受けた場合であっても、蓋１３１を開放すれば、充電池１８０に貯蔵された電力を接続部１４０から外部機器に供給することが出来る。
【００４７】
また、この実施の形態においては、二次電池として充電池１８０を用いているが、充電池１８０の他に、電気２重層コンデンサを二次電池として使用することができる。
【００４８】
（第２実施形態）
図４は、この発明の第２実施形態として、太陽電池付き照明装置の全体を模式的に示す図である。
【００４９】
図４に示すように、太陽電池付き照明装置２００は、筐体としてほぼ円筒状のポール２０１と、ポール２０１の最上部に取り付けられた太陽電池２１０と、照明部としてポール２０１の上部においてポール２０１の外周面上に配置された白色発光ダイオード（白色ＬＥＤ）２２０と、白色ＬＥＤ２２０の下方に配置された振動検知部として感振センサ２６０とを備える。ポール２０１の外周面には、ポール２０１の内部と外部を連通する開口部２３０が形成され、開口部２３０を覆うための蓋部として蓋２３１が、開口部２３０においてポール２０１の内壁側に配置されている。ポール２０１の内部には、二次電池として充電池２８０と、制御部２７０と、接続部２４０と、開口部開閉手段としての蓋固定手段としてロックモータ２５０とロック部材とロック部材受け部と、明るさ判定部２９０と、計時部と、配線２０２が配置されている。
【００５０】
接続部２４０は、ポール２０１の内部において、開口部２３０の位置に配置されている。開口部２３０を覆っている蓋２３１が外されて開口部２３０が開放されると、ポール２０１の外部から、携帯電話等の機器を接続部２４０に接続することができる。接続部２４０は、携帯電話に電力を供給することができる携帯電話用接続部であり、携帯電話などの小電力機器を接続部２４０に接続することによって充電することができる。
【００５１】
ロックモータ２５０を駆動すると、蓋２３１が開口部２３０を覆った状態で固定された状態と、蓋２３１が開口部２３１を開放可能なように蓋２３１の固定を解除した状態とを切り替えることができる。
【００５２】
図５は、この発明の第２実施形態にかかる照明装置の構成を示すブロック図である。
【００５３】
図５に示すように、太陽電池２１０は、明るさの判定部２９０と充電池２８０に電力を供給する。明るさ判定部２９０は、太陽電池２１０の電圧を測定することによって、照明装置２００の周囲の明るさを判定する。充電池２８０は、太陽電池２１０で発電された電力を貯蔵する。充電池２８０に貯蔵された電力は、制御部２７０で出力を制御されて接続部２４０、白色ＬＥＤ２２０、感振センサ２６０、ロックモータ２５０、計時部２７１に供給される。
【００５４】
明るさ判定部２９０は、明るさ判定部２９０が判定した照明装置２００の周囲の明るさに基づいて、制御部２７０に制御信号を送信する。明るさ判定部２９０から制御信号を受信した制御部２７０は、照明装置２００の周囲が所定の明るさよりも明るければ、白色ＬＥＤ２２０を消灯するように白色ＬＥＤ２２０を制御する。また、照明装置２００の周囲が所定の明るさよりも暗ければ、白色ＬＥＤ２２０を点灯するように白色ＬＥＤを制御する。
【００５５】
感振センサ２６０は、ポール２０１の振動を検知して、制御部２７０に制御信号を送信する。感振センサ２６０から制御信号を受信した制御部２７０は、感振センサ２６０が検知した振動が所定の大きさよりも大きい振動であれば、開口部２３０を覆う蓋２３１の固定を解除して開口部２３０を開放可能な状態にするように、ロックモータ２５０を制御する。制御部２７０は、同時に、計時部２７１に制御信号を送信する。制御部２７０から制御信号を受信した計時部２７１は、ロックモータ２５０が蓋２３１の固定を解除して開口部２３０を開放可能な状態にしてからの経過時間を計時する。ロックモータ２５０が蓋２３１の固定を解除して開口部２３０を開放可能な状態にしてから所定の時間が経過すると、計時部２７１が制御部２７０に制御信号を送信する。計時部２７１からの制御信号を受信した制御部２７０は、開口部２３０を閉塞して蓋２３１を固定するようにロックモータ２５０を制御する。
【００５６】
図６は、この発明の第２実施形態として、感振センサが振動を検知していないときの開口部（Ａ）と、感振センサが振動を検知したときの開口部（Ｂ）とについて、ポールの内側から見たときの状態を模式的に示す正面図である。
【００５７】
図６の（Ａ）と（Ｂ）に示すように、ポール２０１の壁には、ポール２０１の内部と外部を連通する開口部２３０が形成されている。開口部２３０においてポール２０１の内壁側には、蓋２３１が配置され、開口部２３０全体をポール２０１の内側から覆い、ポール２０１の内部に配置されている接続部２４０（図４）をポール２０１の外部から遮蔽している。接続部２４０は、配線２０２を介して充電池２８０に接続されている（図４）。ポール２０１の内壁には、開口部２３０の外周の外側に、ロックモータ２５０が配置されている。ロックモータ２５０には、ロック部材２５１が接続されている。ロック部材２５１は、ロックモータ２５０の軸を中心に回転することができる。また、蓋２３１においてポール２０１の内側には、ロック部材受け部２３２が配置されている。
【００５８】
図６の（Ａ）に示すように、ロック部材２５１がロック部材受け部２３２に嵌合することによって、蓋２３１が開口部２３０を覆った状態で蓋２３１を固定することができる。
【００５９】
感振センサ２６０が振動を検知すると、ロックモータ２５０は、制御部２７０から制御信号を受信して図中の矢印Ｃの向きに回転し、ロック部材２５１も矢印Ｃの方向に図中に二点鎖線で示す位置まで約９０°回転し、ロック部材２５１とロック部材受け部２３２との嵌合が解除されて、開口部２３０が開放可能な状態になる。開口部２３０が開放可能な状態になると、外部から蓋２３１を開けて、外部の機器を接続部２４０に接続して充電することができる。
【００６０】
図６の（Ｂ）に示すように、感振センサ２６０が振動を検知してから所定の時間が経過すると、計時部２７１が制御部２７１に制御信号を送信し、制御部２７０がロックモータ２５０を図中の矢印Ｄの方向に回転させ、ロック部材２５１も矢印Ｄの方向に図中に二点鎖線で示す位置まで約９０°回転させられて、ロック部材２５１がロック部材受け部２３２と嵌合して、蓋２３１が開口部２３０を覆った状態で固定される。
【００６１】
このように、照明装置２００は、制御部２７０と、太陽電池２１０と、太陽電池２１０によって発電された電力を蓄えるための充電池２８０と、充電池２８０に蓄えられた電力を使用して点灯する白色ＬＥＤ２２０と、充電池２８０に蓄えられた電力を外部に供給するための接続部２４０と、開口部２３０を有し、接続部２４０を収容するためのポール２０１と、開口部２３０を開放または閉塞するため蓋２３１とロックモータ２５０とロック部材２５１とロック部材受け部２３２と、ポール２０１の振動を検知して制御部２７０に制御信号を送信するための感振センサ２６０とを備え、制御部２７０は、感振センサ２６０から制御信号を受信した場合に、開口部２３０を開放可能な状態にするようにロックモータ２５０を制御する。
【００６２】
地震によって白色ＬＥＤ２２０が振動し、感振センサ２６０がこの振動を検知すると、接続部２４０が収容されているポール２０１の開口部２３０が開放可能な状態にされ、接続部２４０を介して充電池２８０に蓄えられている電力を外部に供給することができる。一方、制御部２７０は、感振センサ２６０が振動を検知して送信する制御信号を受信しなければ、開口部２３０を開放可能な状態にするようにロックモータ２５０を制御することがない。
【００６３】
このようにすることにより、充電池２８０に貯蔵した電力を不用意に使用されることなく、地震時には外部の機器の充電を行なうことが可能な照明装置２００を提供することができる。
【００６４】
また、開口部開閉手段は、開口部２３０を覆うための蓋２３１と、蓋２３１が開口部２３０を覆って閉塞した状態で蓋２３１をポール２０１に固定するためのロックモータ２５０とロック部材２５１とロック部材受け部２３２とを含み、制御部２７０は、感振センサ２６０から制御信号を受信した場合に、ロック部材２５１による蓋２３１の固定を解除して開口部２３０を開放可能な状態にするように、ロックモータ２５０を制御する。
【００６５】
このようにすることにより、地震があった場合には、接続部２４０が収容されているポール２０１の開口部２３０の蓋２３１を固定するロック部材２５１が自動的に解除され、接続部２４０を介して充電池２８０に蓄えられている電力を外部に供給することができる。
【００６６】
また、ロックモータ２３０による蓋２３１の固定を解除して開口部２３０を開放可能な状態にするようにロックモータ２３０を駆動してから所定の時間が経過した場合に、蓋２３１が開口部２３０を閉塞した状態で蓋２３１をポール２０１に固定するように、ロックモータ２５０を制御する。
【００６７】
このようにすることにより、地震の発生から所定の時間が経過すると、自動的に開口部２３０の蓋２３１がロック部材２５１によって固定され、接続部２４０が外部から遮蔽されるため、充電池２８０に蓄えた電力の不用意な使用を効果的に防ぐことができる。
【００６８】
なお、この実施の形態においては、ロック部材２５１の駆動はロックモータ２５０で行なっているが、モータの他に、リニアアクチュエータやソレノイドなどを使用してロック部材２５１の駆動を行うことも可能である。
【００６９】
また、この実施形態においては、地震時に蓋２３１の固定と固定解除が自動で行なわれるが、第１実施形態の手法を用いて、蓋２３１の開閉も自動で行なわれるようにしてもよい。
【００７０】
第２実施形態の照明装置２００のその他の構成と効果は、第１実施形態の照明装置１００と同様である。
【００７１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００７２】
【図１】この発明の第１実施形態として、太陽電池付き照明装置の全体を模式的に示す図である。
【図２】この発明の第１実施形態にかかる照明装置の構成を示すブロック図である。
【図３】この発明の第１実施形態として、感振センサが振動を検知していないときの開口部の状態（Ａ）と、感振センサが振動を検知したときの開口部の状態（Ｂ）とを模式的に示す断面図である。
【図４】この発明の第２実施形態として、太陽電池付き照明装置の全体を模式的に示す図である。
【図５】この発明の第２実施形態にかかる照明装置の構成を示すブロック図である。
【図６】この発明の第２実施形態として、感振センサが振動を検知していないときの開口部（Ａ）と、感振センサが振動を検知したときの開口部（Ｂ）とについて、ポールの内側から見たときの状態を模式的に示す正面図である。
【符号の説明】
【００７３】
１００，２００：照明装置、１０１，２０１：ポール、１１０，２１０：太陽電池、１２０，２２０：白色ＬＥＤ、１３０，２３０：開口部、１３１，２３１：蓋、１４０，２４０：接続部、１５０：蓋開閉モータ、１６０，２６０：感振センサ、１７０，２７０：制御部、１８０，２８０：充電池、２３２：ロック部材受け部、２５０：ロックモータ、２５１：ロック部材。
【図１】
2008192529.tif 000003
【図２】
2008192529.tif 000004
【図３】
2008192529.tif 000005
【図４】
2008192529.tif 000006
【図５】
2008192529.tif 000007
【図６】
2008192529.tif 000008